(57)【要約】【課題】施工後のエア抜き作業が自動的に行われるヒートポンプ式給湯機に関するものである。【解決手段】コンプレッサー２６、水冷媒交換器２７、膨張弁２８、及び室外ファン３１を有する空気熱交換器２９を冷媒配管で環状に接続したヒートポンプユニット２と、湯を貯える貯湯タンク７を有し、この貯湯タンク７と前記水冷媒交換器２７とは循環ポンプ３２を備えた加熱循環回路２５で連通したもので、前記加熱循環回路２５のエアー抜き等の試運転は、電源投入時に試運転完了データ或いは、時刻データがないことを条件に自動的に行われることにより、忘れる心配がなく極めて便利であり、初使用で不具合が発生することもなく、安心して使用出来るものである。【選択図】  図３
2008116146.tif 000002
【特許請求の範囲】
【請求項１】
コンプレッサー、水冷媒交換器、膨張弁、及び室外ファンを有する空気熱交換器を冷媒配管で環状に接続したヒートポンプユニットと、湯を貯える貯湯タンクを有し、この貯湯タンクと前記水冷媒交換器とは循環ポンプを備えた加熱循環回路で連通したものに於いて、前記加熱循環回路のエアー抜き等の試運転は、電源投入時に試運転完了データ或いは、時刻データがないことを条件に自動的に行われる事を特徴とするヒートポンプ式給湯機。
【請求項２】
前記試運転完了データは、ヒートポンプユニット個別の番号や運転時間等のデータとした事を特徴とする請求項１記載のヒートポンプ式給湯機。
【発明の詳細な説明】
【技術分野】
【０００１】
この発明は、ヒートポンプユニットを利用して、貯湯水を加熱し給湯を行うヒートポンプ式給湯機に関するものである。
【背景技術】
【０００２】
従来よりこの種のヒートポンプ式給湯機では、施工後の加熱循環回路のエアー抜き等の試運転をリモコンのエアー抜きスイッチを操作することにより、自動的に行うようにして試運転の手間を省き、容易に行えるようにしたものであった。（例えば、特許文献１）
【特許文献１】特開２００６−２５０５０７号公報
【発明の開示】
【発明が解決しようとする課題】
【０００３】
ところでこの従来のものでは、エアー抜きスイッチの操作を行わなければ、エアー抜き等の試運転は行われず、初使用時に正常にヒートポンプ式給湯機が作動しないと言う不具合を有するものであった。
【課題を解決するための手段】
【０００４】
この発明はこの点に着目し、上記問題点を解決する為、請求項１では、コンプレッサー、水冷媒交換器、膨張弁、及び室外ファンを有する空気熱交換器を冷媒配管で環状に接続したヒートポンプユニットと、湯を貯える貯湯タンクを有し、この貯湯タンクと前記水冷媒交換器とは循環ポンプを備えた加熱循環回路で連通したものに於いて、前記加熱循環回路のエアー抜き等の試運転は、電源投入時に試運転完了データ或いは、時刻データがないことを条件に自動的に行われるものである。
【０００５】
又請求項２では、前記試運転完了データは、ヒートポンプユニット個別の番号や運転時間等のデータとしたものである。
【発明の効果】
【０００６】
この発明の請求項１によれば、スイッチ等の操作をすることなく、施工後にリモコンの電源スイッチをＯＮした電源投入時に、試運転が行われていないことを自動的に検知して、エアー抜きや水張り、沸き上げ運転等の試運転が自動で行われるので、忘れる心配がなく極めて便利であり、初使用で不具合が発生することもなく、安心して使用出来るものである。
【０００７】
又請求項２では、ヒートポンプユニットを取り替えた場合でも、自動的に試運転が行われることになり、極めて使用勝手が良く、安全で安心して使用出来るものである。
【発明を実施するための最良の形態】
【０００８】
次に、この発明の一実施形態のヒートポンプ式給湯機を図面に基づいて説明する。
１は貯湯タンクユニット、２はヒートポンプユニットを構成した加熱部、３は給湯栓、４はリモコン、５は浴槽、６は電源である。
【０００９】
前記貯湯タンクユニット１は、湯水を貯湯する貯湯タンク７と、貯湯タンク７の上部に接続された出湯管８と、貯湯タンクの下部に接続された給水管９と、出湯管８から高温水と給水管９から分岐されたバイパス管１０から低温水とを混合するミキシング弁１１と、ミキシング弁１１の下流に接続された給湯管１２に設けられた給湯温度センサー１３と、給湯管１２に設けられた給湯センサー１４と、給水管９に設けられた給湯温度センサー１５と、給湯管１２から分岐され浴槽５に接続された湯張り管１６と、この湯張り管１６の開閉を行う、湯張り弁１７と、湯張り管１６を流れる流量を積算する、湯張り流量センサー１８と、出湯管８から分岐して、接続された貯湯タンク７の過圧を逃す過圧逃がし弁１９と、給水管９に設けられた給水圧を減圧する減圧弁２０と、貯湯タンク７の側面上下方向に複数設けられた貯湯温度センサー２１と、この貯湯タンクユニット１の制御を行うマイクロコンピューターで主に構成される給湯制御部２２と、貯湯タンク７と加熱部２とを往き管２３と戻り管２４で接続して、湯水を循環させる加熱循環回路２５を形成するものである。
【００１０】
前記加熱部２は、二酸化炭素冷媒を圧縮するコンプレッサー２６と凝縮器としての水冷媒交換器２７と膨張弁２８と蒸発器としての空気熱交換器２９よりなる、ヒートポンプ回路３０と、空気熱交換器２９に送風する室外ファン３１と加熱循環回路２５の往き管２３途中に設けられた能力可変の循環ポンプ３２と、水冷媒交換器２７の加熱循環回路２５を構成する一番細いパイプからな成る温水流路３３の入り口側に設けられ、温水流路３３に流水する湯水の温度を検出する熱交入口温度センサー３４と、温水流路３３の出口側に設けられ、温水流路３３から流水する湯水の温度を検出する熱交出口温度センサー３５と、外気の温度を検出する凍結防止温度センサー３６と、この加熱部２の制御を行うマイクロコンピューターで主に構成される加熱制御部３７とを備えている。
【００１１】
３８は貯湯タンクユニット１内の戻り管２４途中に備えられた流路切替手段を構成する電動三方弁で、通常時は戻り管２４を連通状態とし、施工後のエアー抜き運転時のみ接続している排水管３９と温水流路３３の出口側の戻り管２４を連通状態として、温水流路３３及び加熱循環回路２５内のエアーを水道圧で回路外に押し出すものである。
【００１２】
前記リモコン４には、電源スイッチ４０、給湯設定温度及び時刻を設定する温度時刻設定スイッチ４１、浴槽５への湯張りを指示する湯張りスイッチ４２、湯張り量を設定する湯張り量設定スイッチ４３、温度時刻設定スイッチ４１による設定を温度設定と時刻設定に切替える設定切替スイッチ４４とを有した操作部４５と、ドットマトリクス型の蛍光表示管よりなる表示部４６と、これら操作部４５及び表示部４６を制御すると共に、その情報を前記給湯制御部２２に通信し記憶させるマイクロコンピューターで主に構成されたリモコン制御部４７を備えており、通常運転時は、前記表示部４６に操作部４５で設定された給湯設定温度や時刻情報及び給湯温度センサー２１で検知する残り貯湯量等が表示されるものである。
【００１３】
更に施工後の電源スイッチ４０のＯＮでは、給湯制御部２２に時刻設定の記憶があるかどうか確認し、時刻設定の記憶がない場合には、初設置と判断しエアー抜き運転開始の信号が給湯制御部２２に出力され、この給湯制御部２２では電動三方弁３８を戻り管２４同士の連通から、排水管３９と温水流路３３の出口側の戻り管２４を連通状態とすると共に、給水管９の止水栓４８を開栓した後、循環ポンプ３２を駆動させ、更に予め設定された所定時間ここでは２０分のカウントをタイマー４９が行い、カウントアップで電動三方弁３８を元の状態に戻し、循環ポンプ３２を駆動停止しエアー抜き運転を終了させるものである。
【００１４】
次にこの一実施形態の作動について説明する。
今器具を設置し、給湯回路や風呂回路、給水管９、給湯管１２の回路をそれぞれ配管接続した後、電源６を接続して施工は終了するものであり、次に各回路に水を張って漏れ確認をした後にエアー抜き運転を行うものである。
【００１５】
先ず施工後にリモコン４の電源スイッチ４０をＯＮすると電源投入となり（ステップ５０）、前記した如く給湯制御部２２に時刻設定の記憶があるかどうかで、初使用かどうかを判断し、ステップ５１で記憶がない場合には、ＹＥＳでステップ５２に進み温度時刻設定スイッチ４１で現在時刻を入力表示して給湯制御部２２に記憶させた後、ステップ５３に進み電動三方弁３８を戻り管２４同士の連通から、排水管３９と温水流路３３の出口側の戻り管２４を連通状態とすると共に、給水管９の止水栓４８を開栓した後、循環ポンプ３２を駆動させるエアー抜き運転を開始させ、そしてステップ５４でタイマー４９が２０分をカウントすると、ＹＥＳでステップ５５に進んで、電動三方弁３８を貯等タンク７との連通側に切替ると共に、循環ポンプ３２の駆動を停止さるてエアー抜き運転を終了し、ステップ５６で通常制御に戻るものである。
【００１６】
又ステップ５１で時刻設定の記憶がある場合には、初使用ではないと言う判断で、ＮＯとなってステップ５６の通常制御に進むものである。
【００１７】
次に図４に示す他の実施例について、今までの実施例との相違点のみを説明すれば、貯湯タンク７に連通した過圧逃がし弁１９を、空気抜き機能付きの空気弁付き逃がし弁５７とし、電動三方弁３８及び排水管３９をなくし、エアー抜き運転時は循環ポンプ３２のみを駆動して、加熱循環回路２５内のエアーを貯湯タンク７内に運び、ここから前記した空気弁付き逃がし弁５７で排出するようにしたものであり、部品が少なくエアー抜き動作を簡単であると言う効果を有するものである。
【００１８】
尚、ここでは試運転をエアー抜きのみに限定して説明したが、これに限定されることなく、時刻設定の記憶が給湯制御部２２になかった場合に、貯湯タンク７のエアー抜きや、このエアー抜き後の貯湯タンク７への水張り、水張り後の加熱循環回路２５のエアー抜き、このエアー抜き後の沸き上げ運転等の試運転を順次行うようにしても良いものである。
【図面の簡単な説明】
【００１９】
【図１】この発明の一実施形態を示すヒートポンプ式給湯機のエアー抜き状態概略構            成図。
【図２】同要部電気回路のブロック図。
【図３】同要部のフローチャート。
【図４】他の実施形態のエアー抜き運転状態を示す概略構成図。
【符号の説明】
【００２０】
２  加熱部（ヒートポンプユニット）
７  貯湯タンク
２２  給湯制御部
２５  加熱循環回路
２６  コンプレッサー
２７  水冷媒熱交換器
２８  膨張弁
２９  空気熱交換器
３１  室外ファン
３２  循環ポンプ
【図１】
2008116146.tif 000003
【図２】
2008116146.tif 000004
【図３】
2008116146.tif 000005
【図４】
2008116146.tif 000006